(57)【要約】  本開示は、ランダムアクセス方法、端末及びネットワーク装置を提供する。端末に適用される該ランダムアクセス方法は、ターゲットランダムアクセスの設定情報を取得することと、前記設定情報に基づいて、メッセージ１を送信する第１の物理アップリンク共有チャネルＰＵＳＣＨリソースを決定することと、第１のＰＵＳＣＨリソースで、ターゲットランダムアクセスのメッセージ１を送信することとを含む。
2021532668.tif 000002
【特許請求の範囲】
【請求項１】
端末に適用されるランダムアクセス方法であって、
ターゲットランダムアクセスの設定情報を取得することと、
前記設定情報に基づいて、メッセージ１を送信する第１の物理アップリンク共有チャネルＰＵＳＣＨリソースを決定することと、
第１のＰＵＳＣＨリソースで、ターゲットランダムアクセスのメッセージ１を送信することとを含む、ランダムアクセス方法。
【請求項２】
前記設定情報は、
端末がモニタリングする少なくとも１つの基準信号と、
基準信号とＰＵＳＣＨリソースとの関連関係と、
端末が前記少なくとも１つの基準信号から第１の基準信号を選択する時に基づいた性能指標と、
端末が前記少なくとも１つの基準信号から第１の基準信号を選択する時に基づいた、前記性能指標に対して予め設定された閾値との情報のうちの少なくとも１項を含む、請求項１に記載のランダムアクセス方法。
【請求項３】
前記関連関係は、
基準信号とＰＵＳＣＨリソースとが一対一の関係である情報と、
１つのＰＵＳＣＨリソースが少なくとも１つの基準信号に対応する情報と、
１つの基準信号が少なくとも１つのＰＵＳＣＨリソースに対応する情報とのうちの少なくとも１項を含む、請求項２に記載のランダムアクセス方法。
【請求項４】
前記少なくとも１つの基準信号は、少なくとも１つの同期信号ブロックＳＳＢ及び／又は少なくとも１つのチャネル状態情報基準信号ＣＳＩ−ＲＳを含む、請求項２に記載のランダムアクセス方法。
【請求項５】
前記ＰＵＳＣＨリソースは、グラントフリーリソース及び／又は前記ターゲットランダムアクセスに対して予め設定されたリソースを含む、請求項２に記載のランダムアクセス方法。
【請求項６】
前記のターゲットランダムアクセスの設定情報を取得することは、
ネットワーク装置がシステムブロードキャストメッセージを介して送信したターゲットランダムアクセスの設定情報を受信する方式と、
ネットワーク装置が無線リソース制御ＲＲＣ解放メッセージを介して送信したターゲットランダムアクセスの設定情報を受信する方式とのうちの少なくとも１種を含む、請求項１に記載のランダムアクセス方法。
【請求項７】
前記の前記設定情報に基づいて、メッセージ１を送信する第１の物理アップリンク共有チャネルＰＵＳＣＨリソースを決定することは、
第１の基準信号を決定することと、
前記第１の基準信号に関連付けられたＰＵＳＣＨリソースから、１つのＰＵＳＣＨリソースを、メッセージ１を送信する第１のＰＵＳＣＨリソースとして決定することとを含む、請求項２に記載のランダムアクセス方法。
【請求項８】
前記の第１の基準信号を決定することは、
性能指標が予め設定された閾値以上の基準信号が少なくとも１つ存在する場合、性能指標が予め設定された閾値以上の前記少なくとも１つの基準信号から、１つの基準信号を第１の基準信号として決定し、或いは
性能指標が予め設定された閾値以上の基準信号が存在しない場合、ネットワーク装置が端末に対して設定した基準信号から、１つの基準信号を第１の基準信号として決定することを含む、請求項７に記載のランダムアクセス方法。
【請求項９】
前記の性能指標が予め設定された閾値以上の前記少なくとも１つの基準信号から、１つの基準信号を第１の基準信号として決定することは、
性能指標が予め設定された閾値以上の基準信号が少なくとも２つ存在する場合、性能指標が予め設定された閾値以上の前記少なくとも２つの基準信号から、１つを第１の基準信号として決定することを含み、
前記第１の基準信号は、前記少なくとも２つの基準信号からランダムに選択されたものであり、或いは前記第１の基準信号は、少なくとも２つの基準信号のうちの、第１の予め設定された条件を満たすものである、請求項８に記載のランダムアクセス方法。
【請求項１０】
前記のネットワーク装置が端末に対して設定した基準信号から、１つの基準信号を第１の基準信号として決定することは、
ネットワーク装置が端末に対して設定した基準信号から、１つを第１の基準信号としてランダムに決定し、或いは
ネットワーク装置が端末に対して設定した基準信号から、第１の予め設定された条件を満たす１つを第１の基準信号として選択することを含む、請求項８に記載のランダムアクセス方法。
【請求項１１】
前記第１の予め設定された条件は、
時間領域が第１の予め設定された閾値以下である条件と、
周波数領域が第２の予め設定された閾値以下である条件とのうちの少なくとも１つを含む、請求項９又は１０に記載のランダムアクセス方法。
【請求項１２】
前記の前記第１の基準信号に関連付けられたＰＵＳＣＨリソースから、１つのＰＵＳＣＨリソースを、メッセージ１を送信する第１のＰＵＳＣＨリソースとして決定することは、
前記第１の基準信号が１つのＰＵＳＣＨリソースに関連付けられる場合、前記第１の基準信号に対応するＰＵＳＣＨリソースを第１のＰＵＳＣＨリソースとして決定し、或いは
前記第１の基準信号が少なくとも２つのＰＵＳＣＨリソースに関連付けられる場合、前記第１の基準信号に関連付けられた少なくとも２つのＰＵＳＣＨリソースから、１つのターゲットＰＵＳＣＨリソースを第１のＰＵＳＣＨリソースとして選択することを含む、請求項７に記載のランダムアクセス方法。
【請求項１３】
前記ターゲットＰＵＳＣＨリソースは、前記第１の基準信号に関連付けられた少なくとも２つのＰＵＳＣＨリソースのうちのランダムな１つであり、或いは前記ターゲットＰＵＳＣＨリソースは、前記第１の基準信号に関連付けられた少なくとも２つのＰＵＳＣＨリソースのうちの、第２の予め設定された条件を満たすＰＵＳＣＨリソースである、請求項１２に記載のランダムアクセス方法。
【請求項１４】
前記第２の予め設定された条件は、時間領域が第３の予め設定された閾値以下である条件を含む、請求項１３に記載のランダムアクセス方法。
【請求項１５】
前記性能指標は、
基準信号受信電力ＲＳＲＰ、基準信号受信品質ＲＳＲＱ及び信号対雑音比ＳＩＮＲのうちの１つを含む、請求項２に記載のランダムアクセス方法。
【請求項１６】
ネットワーク装置に適用されるランダムアクセス方法であって、
ターゲットランダムアクセスの設定情報を端末に送信することと、
端末からフィードバックされたターゲットランダムアクセスのメッセージ１を受信することとを含み、
前記メッセージ１は、前記端末が前記設定情報に基づいて、メッセージ１を送信する第１の物理アップリンク共有チャネルＰＵＳＣＨリソースを決定して、第１のＰＵＳＣＨリソースで送信するものである方法。
【請求項１７】
前記設定情報は、
端末がモニタリングする少なくとも１つの基準信号と、
基準信号とＰＵＳＣＨリソースとの関連関係と、
端末が前記少なくとも１つの基準信号から第１の基準信号を選択する時に基づいた性能指標と、
端末が前記少なくとも１つの基準信号から第１の基準信号を選択する時に基づいた、前記性能指標に対して予め設定された閾値との情報のうちの少なくとも１項を含む、請求項１６に記載のランダムアクセス方法。
【請求項１８】
前記関連関係は、
基準信号とＰＵＳＣＨリソースとが一対一の関係である情報と、
１つのＰＵＳＣＨリソースが少なくとも１つの基準信号に対応する情報と、
１つの基準信号が少なくとも１つのＰＵＳＣＨリソースに対応する情報とのうちの少なくとも１項を含む、請求項１７に記載のランダムアクセス方法。
【請求項１９】
前記少なくとも１つの基準信号は、少なくとも１つの同期信号ブロックＳＳＢ及び／又は少なくとも１つのチャネル状態情報基準信号ＣＳＩ−ＲＳを含む、請求項１７に記載のランダムアクセス方法。
【請求項２０】
前記ＰＵＳＣＨリソースは、グラントフリーリソース及び／又は前記ターゲットランダムアクセスに対して予め設定されたリソースを含む、請求項１７に記載のランダムアクセス方法。
【請求項２１】
前記のターゲットランダムアクセスの設定情報を端末に送信することは、
システムブロードキャストメッセージを介して、ターゲットランダムアクセスの設定情報を端末に送信する方式と、
無線リソース制御ＲＲＣ解放メッセージを介して、ターゲットランダムアクセスの設定情報を端末に送信する方式とのうちの少なくとも１種を含む、請求項１６に記載のランダムアクセス方法。
【請求項２２】
前記性能指標は、
基準信号受信電力ＲＳＲＰ、基準信号受信品質ＲＳＲＱ及び信号対雑音比ＳＩＮＲのうちの１つを含む、請求項１７に記載のランダムアクセス方法。
【請求項２３】
ターゲットランダムアクセスの設定情報を取得する取得モジュールと、
前記設定情報に基づいて、メッセージ１を送信する第１の物理アップリンク共有チャネルＰＵＳＣＨリソースを決定する決定モジュールと、
第１のＰＵＳＣＨリソースで、ターゲットランダムアクセスのメッセージ１を送信する第１の送信モジュールとを含む、端末。
【請求項２４】
前記設定情報は、
端末がモニタリングする少なくとも１つの基準信号と、
基準信号とＰＵＳＣＨリソースとの関連関係と、
端末が前記少なくとも１つの基準信号から第１の基準信号を選択する時に基づいた性能指標と、
端末が前記少なくとも１つの基準信号から第１の基準信号を選択する時に基づいた、前記性能指標に対して予め設定された閾値との情報のうちの少なくとも１項を含む、請求項２３に記載の端末。
【請求項２５】
前記取得モジュールは、
ネットワーク装置がシステムブロードキャストメッセージを介して送信したターゲットランダムアクセスの設定情報を受信する方式と、
ネットワーク装置が無線リソース制御ＲＲＣ解放メッセージを介して送信したターゲットランダムアクセスの設定情報を受信する方式とのうちの少なくとも１種を実行する、請求項２３に記載の端末。
【請求項２６】
前記決定モジュールは、
第１の基準信号を決定する第１の決定サブモジュールと、
前記第１の基準信号に関連付けられたＰＵＳＣＨリソースから、１つのＰＵＳＣＨリソースを、メッセージ１を送信する第１のＰＵＳＣＨリソースとして決定する第２の決定サブモジュールとを含む、請求項２４に記載の端末。
【請求項２７】
メモリと、プロセッサと、メモリに記憶されてプロセッサ上で実行でき、前記プロセッサによって実行されると、請求項１〜１５のいずれか１項に記載のランダムアクセス方法のステップを実現するコンピュータプログラムとを含む、端末。
【請求項２８】
ターゲットランダムアクセスの設定情報を端末に送信する第２の送信モジュールと、
端末からフィードバックされたターゲットランダムアクセスのメッセージ１を受信する受信モジュールとを含み、
前記メッセージ１は、前記端末が前記設定情報に基づいて、メッセージ１を送信する第１の物理アップリンク共有チャネルＰＵＳＣＨリソースを決定して、第１のＰＵＳＣＨリソースで送信するものである、ネットワーク装置。
【請求項２９】
メモリと、プロセッサと、メモリに記憶されてプロセッサ上で実行でき、前記プロセッサによって実行されると、請求項１６〜２２のいずれか１項に記載のランダムアクセス方法のステップを実現するコンピュータプログラムとを含む、ネットワーク装置。
【請求項３０】
プロセッサによって実行されると、請求項１〜２２のいずれか１項に記載のランダムアクセス方法のステップを実現するコンピュータプログラムが記憶されている、コンピュータ読み取り可能な記憶媒体。
【発明の詳細な説明】
【技術分野】
【０００１】
本願は、２０１８年７月２６日に提出された中国特許出願第２０１８１０８３７９０３．３号の優先権を主張するものであり、その全ての内容は参照により本願に取り組まれるものとする。
本開示は、通信の技術分野に関し、特にランダムアクセス方法、端末及びネットワーク装置に関する。
【背景技術】
【０００２】
ＮＲ（Ｎｅｗ  ｒａｄｉｏ、新たな無線技術）は、競合ベースのランダムアクセスの時間遅延を低減するために、簡略化された２段階競合ベースのランダムアクセスフローを導入し、具体的なフローは、図１に示すように、以下のＭｓｇ０〜Ｍｓｇ２を含む。
【０００３】
Ｍｓｇ０（メッセージ０）において、ネットワーク側は、Ｍｓｇ１（メッセージ１）の送信リソースなどの、簡略化された２段階ランダムアクセスに必要な設定情報を、ＵＥ（Ｕｓｅｒ  Ｅｑｕｉｐｍｅｎｔ、ユーザ装置、端末とも呼ばれる）に設定する。
【０００４】
Ｍｓｇ１（メッセージ１）において、端末は、ランダムアクセスリソースを選択し、かつ該ランダムアクセスリソースを用いて、選択されたランダムアクセス信号（例えば、ｐｒｅａｍｂｌｅ（プリアンブル））を基地局に送信する。同時に、Ｍｓｇ１にＵＥ識別子を搬送させた、該識別子により、ネットワーク側は、どのＵＥがランダムアクセス要求を送信したかを決定することができる。また、Ｍｓｇ１にユーザプレーンデータを搬送させてよく、ｉｎａｃｔｉｖｅ（非アクティブ）状態のＵＥによる小容量のデータ転送に適用され、ＵＥの状態遷移時のシグナリングオーバーヘッドを低減することができる。
【０００５】
Ｍｓｇ２（メッセージ２）において、ネットワーク側は、ＵＥにランダムアクセス応答を送信する。該ランダムアクセス応答には、ＵＥが競合ベースのアクセスに成功したか否かを示すＵＥ識別子が搬送されているべきである。競合ベースのアクセスが成功すると、ランダムアクセス応答には、タイミングアドバンス、アップリンク許可などの情報がさらに搬送されてよい。
【０００６】
簡略化された２段階競合ベースのランダムアクセス方法は、４段階競合ベースのランダムアクセスの時間遅延を低減すると共に、非アクティブ状態のＵＥによる小容量のデータ転送に適用することができる。しかしながら、簡略化された２段階競合ベースのランダムアクセスにおけるＭｓｇ１に必要な転送リソースに対する解決手段はまだない。
【発明の概要】
【発明が解決しようとする課題】
【０００７】
本開示の実施例は、関連技術における、簡略化された２段階競合ベースのランダムアクセスにおけるＭｓｇ１に必要な転送リソースに対する解決手段が決定されていないため、ネットワーク通信フローが不完全になり、ネットワーク通信の信頼性を保証できないという問題を解決するために、ランダムアクセス方法、端末及びネットワーク装置を提供する。
【課題を解決するための手段】
【０００８】
上記技術的課題を解決するために、本開示は以下の解決手段を採用する。
【０００９】
第１の態様では、本開示の実施例に係る、端末に適用されるランダムアクセス方法は、
ターゲットランダムアクセスの設定情報を取得するステップと、
前記設定情報に基づいて、メッセージ１を送信する第１の物理アップリンク共有チャネルＰＵＳＣＨリソースを決定するステップと、
第１のＰＵＳＣＨリソースで、ターゲットランダムアクセスのメッセージ１を送信するステップとを含む。
【００１０】
第２の態様では、本開示の実施例に係る、ネットワーク装置に適用されるランダムアクセス方法は、
ターゲットランダムアクセスの設定情報を端末に送信するステップと、
端末からフィードバックされたターゲットランダムアクセスのメッセージ１を受信するステップとを含み、
前記メッセージ１は、前記端末が前記設定情報に基づいて、メッセージ１を送信する第１の物理アップリンク共有チャネルＰＵＳＣＨリソースを決定して、第１のＰＵＳＣＨリソースで送信するものである。
【００１１】
第３の態様では、本開示の実施例に係る端末は、
ターゲットランダムアクセスの設定情報を取得する取得モジュールと、
前記設定情報に基づいて、メッセージ１を送信する第１の物理アップリンク共有チャネルＰＵＳＣＨリソースを決定する決定モジュールと、
第１のＰＵＳＣＨリソースで、ターゲットランダムアクセスのメッセージ１を送信する第１の送信モジュールとを含む。
【００１２】
第４の態様では、本開示の実施例に係る端末は、メモリと、プロセッサと、メモリに記憶されてプロセッサ上で実行でき、前記プロセッサによって実行されると、上記ランダムアクセス方法のステップを実現するコンピュータプログラムとを含む。
【００１３】
第５の態様では、本開示の実施例に係るネットワーク装置は、
ターゲットランダムアクセスの設定情報を端末に送信する第２の送信モジュールと、
端末からフィードバックされたターゲットランダムアクセスのメッセージ１を受信する受信モジュールとを含み、
前記メッセージ１は、前記端末が前記設定情報に基づいて、メッセージ１を送信する第１の物理アップリンク共有チャネルＰＵＳＣＨリソースを決定して、第１のＰＵＳＣＨリソースで送信するものである。
【００１４】
第６の態様では、本開示の実施例に係るネットワーク装置は、メモリと、プロセッサと、メモリに記憶されてプロセッサ上で実行でき、前記プロセッサによって実行されると、上記ランダムアクセス方法のステップを実現するコンピュータプログラムとを含む。
【００１５】
第７の態様では、本開示の実施例に係るコンピュータ読み取り可能な記憶媒体には、プロセッサによって実行されると、上記ランダムアクセス方法のステップを実現するコンピュータプログラムが記憶されている。
【００１６】
本開示の有益な効果は以下のとおりである。
【００１７】
上記解決手段によれば、簡略化された２段階競合ベースのランダムアクセスの設定情報に基づいて、簡略化された２段階競合ベースのランダムアクセスにおいてメッセージ１を送信する第１のＰＵＳＣＨリソースを決定して、メッセージ１の送信を実現することで、ネットワーク通信フローを完全にし、ネットワーク通信の信頼性を保証する。
【図面の簡単な説明】
【００１８】
【図１】簡略化された２段階競合ベースのランダムアクセスを示すフローチャートである。
【図２】競合ベースのランダムアクセスを示すフローチャートである。
【図３】本開示の実施例に係る、端末側に適用されるランダムアクセスを示すフローチャートである。
【図４】本開示の実施例に係る、ネットワーク装置側に適用されるランダムアクセスを示すフローチャートである。
【図５】本開示の実施例に係る端末のモジュールの概略図である。
【図６】本開示の実施例に係る端末の構成ブロック図である。
【図７】本開示の実施例に係るネットワーク装置のモジュールの概略図である。
【図８】本開示の実施例に係るネットワーク装置の構成ブロック図である。
【発明を実施するための形態】
【００１９】
本開示の目的、技術手段及び利点をより明確にするために、以下、図面及び具体的な実施例を参照しながら、本開示を詳細に説明する。
【００２０】
本開示の実施例の説明を行うときに、まず、以下の説明において用いられるいくつかの概念について説明する。
【００２１】
ランダムアクセス手順は、主に、非競合ベースのランダムアクセスと競合ベースのランダムアクセスに分けられている。競合ベースのランダムアクセス手順は、図２に示すように、主に以下のＭｓｇ１〜Ｍｓｇ４の４つのステップに分かれている。
【００２２】
Ｍｓｇ１（メッセージ１）において、端末は、ランダムアクセスリソースを選択し、かつ該ランダムアクセスリソースを用いて、選択されたランダムアクセス信号（例えば、ｐｒｅａｍｂｌｅ）を基地局に送信する。端末は、Ｍｓｇ１を送信した後、Ｍｓｇ１の送信時間と周波数の位置に基づいて、ネットワーク側がＭｓｇ２をスケジューリングする識別情報（即ちＲＡ−ＲＮＴＩ（Ｒａｎｄｏｍ  Ａｃｃｅｓｓ  Ｒａｄｉｏ  Ｎｅｔｗｏｒｋ  Ｔｅｍｐｏｒａｒｙ  Ｉｄｅｎｔｉｔｙ、ランダムアクセス無線ネットワーク一時識別子））を計算する。端末は、Ｍｓｇ１を送信した後、固定ウィンドウ内（即ちＲＡＲ  ｗｉｎｄｏｗ（Ｒａｎｄｏｍ  Ａｃｃｅｓｓ  Ｒｅｓｐｏｎｓｅ  ｗｉｎｄｏｗ、ランダムアクセス応答ウィンドウ））にダウンリンクチャネルをモニタリングしてネットワーク側のフィードバック情報Ｍｓｇ２を取得する。
【００２３】
Ｍｓｇ２（メッセージ２）において、基地局は、Ｍｓｇ１を受信し、ＴＡ（タイミングアドバンス）を計算し、かつ、Ｍｓｇ１  ＲＡＰＩＤ（即ち、識別情報）と、Ｔｉｍｉｎｇ  Ａｄｖａｎｃｅ  Ｃｏｍｍａｎｄ（即ち、アップリンクタイミングアドバンス情報）と、ＵＬ  Ｇｒａｎｔ（即ち、アップリンク送信許可情報）と、Ｂａｃｋｏｆｆ  Ｉｎｄｉｃａｔｏｒ（即ち、バックオフ情報）と、Ｔｅｍｐｏｒａｒｙ  Ｃ−ＲＮＴＩ（即ち、一時端末識別情報）とが含まれる可能性のあるランダムアクセス応答を端末に送信する。端末がＲＡＲ（Ｒａｎｄｏｍ  Ａｃｃｅｓｓ  Ｒｅｓｐｏｎｓｅ、ランダムアクセス応答）の受信に失敗するか、又は自分の送信したＭｓｇ１に対応するＲＡＰＩＤをＲＡＲから検出しないと、ＲＡＲによって指示される（例えば、ＲＡＲ内に含まれる）バックオフ情報に基づいて、次回にランダムアクセスを送信するタイミングを決定する。
【００２４】
Ｍｓｇ３（メッセージ３）において、端末は、Ｍｓｇ２により指定されたＵＬ  ｇｒａｎｔでアップリンク伝送を送信し、異なるランダムアクセスに応じてＭｓｇ３のアップリンク伝送のコンテンツは異なり、例えば、初期アクセスに対して、Ｍｓｇ３はＲＲＣ（Ｒａｄｉｏ  Ｒｅｓｏｕｒｃｅ  Ｃｏｎｔｒｏｌ、無線リソース制御）接続確立要求を伝送する。端末は、Ｍｓｇ３を送信した後、競合解決タイマーを開始する。競合解決タイマーがタイムアウトする前に、Ｍｓｇ４が受信に成功しないと、ＵＥはＭｓｇ４が受信に失敗したと認める。
【００２５】
Ｍｓｇ４（メッセージ４）において、競合解決メッセージについて、端末はＭｓｇ４に基づいてランダムアクセスが成功したか否かを判断することができる。
【００２６】
ＮＲでは、セルは常に高周波数帯域で動作し、信号は空間伝送損失が大きい。単一のビーム（ｂｅａｍ）でセル全体をカバーすると、基地局は高い送信電力をサポートする必要がある。この問題を解決するために、ＮＲ  ｃｅｌｌは複数のビームで１つのセルをカバーし、複数のビームを時分割で動作させることができる。例えば、１つのセクタセルを８つのビームでカバーする。８つのビームを時分割方式で送信し、セルに各時刻に１つのビームのみを送信する。
【００２７】
ＵＥは、参照シンボルに基づいて、異なるビームを識別し、ＳＳＢ（Ｓｙｎｃｈｒｏｎｉｚａｔｉｏｎ  Ｓｉｇｎａｌ  Ｂｌｏｃｋ、同期信号ブロック）及びＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ、チャネル状態情報基準信号）の２種類の参照シンボルが存在する。ＵＥは、ネットワークの設定に基づいて、自分がモニタリングする参照シンボルを決定し、かつモニタリングした参照シンボルに基づいて、自分の所在する位置がどの／どのいくつかのビームでカバーされるかを決定することができる。
【００２８】
簡略化された２段階競合ベースのランダムアクセス方法は、４段階競合ベースのランダムアクセスの時間遅延を低減すると共に、非アクティブ状態のＵＥによる小容量のデータ転送に適用することができる。しかしながら、現在、２段階競合ベースのランダムアクセスにおけるＭｓｇ１に必要な転送リソースに対する解決手段はまだない。
【００２９】
本開示は、関連技術における、簡略化された２段階競合ベースのランダムアクセスにおけるＭｓｇ１に必要な転送リソースに対する解決手段が決定されていないため、ネットワーク通信フローが不完全になり、ネットワーク通信の信頼性を保証できないという問題に対して、ランダムアクセス方法、端末及びネットワーク装置を提供する。
【００３０】
図３に示すように、本開示の実施例に係る、端末に適用されるランダムアクセス方法は、以下のステップ３０１〜３０３を含む。
【００３１】
ステップ３０１では、ターゲットランダムアクセスの設定情報を取得し、
なお、該ターゲットランダムアクセスとは、簡略化された２段階競合ベースのランダムアクセスである。
【００３２】
ステップ３０２では、上記設定情報に基づいて、メッセージ１を送信する第１の物理アップリンク共有チャネルＰＵＳＣＨリソースを決定し、
ステップ３０３では、第１のＰＵＳＣＨリソースで、ターゲットランダムアクセスのメッセージ１を送信する。
【００３３】
簡略化された２段階競合ベースのランダムアクセスの設定情報に基づいて、メッセージ１を送信する第１のＰＵＳＣＨリソースを決定し、該第１のＰＵＳＣＨリソースは、主にユーザプレーンデータの転送を行い、次に簡略化された２段階競合ベースのランダムアクセスのメッセージ１の送信を行うことにより、簡略化された２段階競合ベースのランダムアクセスにおいてメッセージ１を送信する第１のＰＵＳＣＨリソースの方式を明確にする。
【００３４】
さらに、該設定情報は、以下のＡ１〜Ａ４情報のうちの少なくとも１つを含む。
【００３５】
Ａ１、端末がモニタリングする少なくとも１つの基準信号
なお、該少なくとも１つの基準信号は、少なくとも１つの同期信号ブロック（ＳＳＢ）及び／又は少なくとも１つのチャネル状態情報基準信号（ＣＳＩ−ＲＳ）を含む。
【００３６】
このＡ１情報中の少なくとも１つの基準信号とは、ネットワーク装置が端末に対して設定した、端末がモニタリングすべきの少なくとも１つの基準信号である。
【００３７】
Ａ２、基準信号とＰＵＳＣＨリソースとの関連関係
なお、ネットワーク装置は、端末に対して１つのＰＵＳＣＨリソースを設定してもよく、複数のＰＵＳＣＨリソースを設定してもよく、具体的には、上記ＰＵＳＣＨリソースは、グラントフリー（ｇｒａｎｔ  ｆｒｅｅ）リソース及び／又は上記ターゲットランダムアクセスに対して予め設定されたリソースを含み、なお、該予め設定されたリソースとは、ネットワーク装置が簡略化された２段階競合ベースのランダムアクセスに対して予約したリソースである。
【００３８】
なお、該関連関係は、以下のＡ２１〜Ａ２３情報のうちの少なくとも１項を含む。
【００３９】
Ａ２１、基準信号とＰＵＳＣＨリソースとが一対一の関係である情報
即ち、１つの基準信号は、１つのＰＵＳＣＨリソースのみに関連付けられ、例えば、端末がモニタリングする基準信号には、ＳＳＢ１及びＣＳＩ−ＲＳ０が含まれる場合、ＳＳＢ１はＰＵＳＣＨリソース０に対応し、ＣＳＩ−ＲＳ０はＰＵＳＣＨリソース１に対応する。
【００４０】
Ａ２２、１つのＰＵＳＣＨリソースが少なくとも１つの基準信号に対応する情報
なお、このときＰＵＳＣＨリソースと基準信号との関連関係は、１つのＰＵＳＣＨリソースが複数の基準信号に対応する一対多の関係であり、例えば、端末がモニタリングする基準信号には、ＳＳＢ２及びＳＳＢ３が含まれる場合、ＳＳＢ２はＰＵＳＣＨリソース２に対応し、ＳＳＢ３もＰＵＳＣＨリソース２に対応する。
【００４１】
Ａ２３、１つの基準信号が少なくとも１つのＰＵＳＣＨリソースに対応する情報
なお、このとき基準信号とＰＵＳＣＨリソースとの関連関係は、１つの基準信号が複数のＰＵＳＣＨリソースに対応する一対多の関係である。例えば、端末がモニタリングする基準信号には、ＣＳＩ−ＲＳ１及びＣＳＩ−ＲＳ２が含まれる場合、ＣＳＩ−ＲＳ１はＰＵＳＣＨリソース３及びＰＵＳＣＨリソース４に対応し、ＣＳＩ−ＲＳ２はＰＵＳＣＨリソース５及びＰＵＳＣＨリソース６に対応する。
【００４２】
なお、１項の設定情報に対して、以上のような関連方式のいずれを採用してもよく、あるいくつかを選択してもよく、上記３種類の関連方式を同時に選択してもよく、例えば、端末がモニタリングする基準信号には、ＳＳＢ４、ＳＳＢ５、ＳＳＢ６及びＣＳＩ−ＲＳ３が含まれる場合、ＳＳＢ４はＰＵＳＣＨリソース７に対応し、ＳＳＢ５及びＳＳＢ６はＰＵＳＣＨリソース８に対応し、ＣＳＩ−ＲＳ３はＰＵＳＣＨリソース９及びＰＵＳＣＨリソース１０に対応する。
【００４３】
Ａ３、端末が上記少なくとも１つの基準信号から第１の基準信号を選択する時に基づいた性能指標
なお、該性能指標は、
基準信号受信電力（ＲＳＲＰ）、基準信号受信品質（ＲＳＲＱ）及び信号対雑音比（ＳＩＮＲ）のうちの１つを含む。
【００４４】
即ち、一回の設定において、ネットワーク装置は、端末が１つの性能指標のみを用いて第１の基準信号の選択を行うことを指示し、該性能指標は、ＲＳＲＰ、ＲＳＲＱ及びＳＩＮＲのいずれか１つである。
【００４５】
Ａ４、端末が上記少なくとも１つの基準信号から第１の基準信号を選択する時に基づいた、上記性能指標に対して予め設定された閾値
なお、該予め設定された閾値とは、第１の基準信号を選択する時、性能指標が基づいた閾値基準である。例えば、第１の基準信号を選択する性能指標として、ＲＳＲＰを採用する場合、性能指標の実際の測定値が予め設定された閾値以上の基準信号が存在すると、性能指標の実際の測定値が予め設定された閾値以上の基準信号のみを第１の基準信号として選択する。
【００４６】
さらに、ステップ１０１は、
Ｂ１、ネットワーク装置がシステムブロードキャストメッセージを介して送信したターゲットランダムアクセスの設定情報を受信する方式と、
Ｂ２、ネットワーク装置が無線リソース制御（ＲＲＣ）解放メッセージを介して送信したターゲットランダムアクセスの設定情報を受信する方式とのうちの少なくとも１種を採用して実現することができる。
【００４７】
例えば、一回の設定において、ネットワーク装置は、設定情報に含まれる情報の全てをシステムブロードキャストメッセージを介して送信するか、又は全てをＲＲＣ解放メッセージを介して送信することを選択してよく、ネットワーク装置は、設定情報の一部の情報をシステムブロードキャストメッセージを介して送信し、他の部分の情報をＲＲＣ解放メッセージを介して送信することを選択してもよい。
【００４８】
さらに、ステップ１０２の具体的な実現方式は、第１の基準信号を決定し、上記第１の基準信号に関連付けられたＰＵＳＣＨリソースから、１つのＰＵＳＣＨリソースを、メッセージ１を送信する第１のＰＵＳＣＨリソースとして決定することである。
【００４９】
この実現プロセスは、端末は、まず、ＰＵＳＣＨリソースを決定するためにどの基準信号を選択するかを決定し、基準信号を選択した後、該基準信号に関連付けれられたＰＵＳＣＨリソースで、メッセージ１を送信するＰＵＳＣＨリソースの決定を行えばよい。
【００５０】
具体的には、第１の基準信号を決定する方式は、以下のＣ１〜Ｃ２を含む。
【００５１】
Ｃ１では、性能指標が予め設定された閾値以上の基準信号が少なくとも１つ存在する場合、性能指標が予め設定された閾値以上の上記少なくとも１つの基準信号から、１つの基準信号を第１の基準信号として決定し、
この場合に、性能指標が予め設定された閾値以上の基準信号が１つのみ存在する場合、該基準信号を第１の基準信号として決定すればよく、性能指標が予め設定された閾値以上の基準信号が少なくとも２つ存在する場合、性能指標が予め設定された閾値以上の上記少なくとも２つの基準信号から、１つを第１の基準信号として決定し、このときに、第１の基準信号を選択するルールは、性能指標が予め設定された閾値以上の上記少なくとも２つの基準信号から、１つを第１の基準信号としてランダムに選択するか、又は性能指標が予め設定された閾値以上の上記少なくとも２つの基準信号から、第１の予め設定された条件を満たす１つを第１の基準信号として選択することである。
【００５２】
具体的には、該第１の予め設定された条件は、
時間領域が第１の予め設定された閾値以下である条件と、
周波数領域が第２の予め設定された閾値以下である条件とのうちの少なくとも１つを含む。
【００５３】
なお、ここでの時間領域とは、基準信号に関連付けれられたＲＯ（ｒａｎｄｏｍ  ｏｃｃａｓｉｏｎ、ランダムな機会）に対応する時間領域であってよく、ここでの周波数領域とは、基準信号に関連付けれられたＲＯに対応する周波数領域であり、該第１の予め設定されたルールに従って最も早く利用可能な基準信号を選択し、即ち、時間領域が最も早いＲＯ及び／又は周波数領域が最も早いＲＯに対応する基準信号を、最も早く利用可能な基準信号とする。
【００５４】
Ｃ２では、性能指標が予め設定された閾値以上の基準信号が存在しない場合、ネットワーク装置が端末に対して設定した基準信号から、１つの基準信号を第１の基準信号として決定し、
なお、この場合に、端末は、ネットワーク装置が端末に対して設定した基準信号から、１つを第１の基準信号としてランダムに決定してよく、或いは、端末は、ネットワーク装置が端末に対して設定した基準信号から、第１の予め設定された条件を満たす１つを第１の基準信号として選択してよく、なお、該第１の予め設定された条件は、上記第１の予め設定された条件と同じ意味であり、即ち、この場合に、端末は、最も早く利用可能な基準信号を選択する。
【００５５】
第１の基準信号を決定した後、該第１の基準信号に基づいて第１のＰＵＳＣＨリソースの決定を行う必要があり、具体的には、上記第１の基準信号に関連付けられたＰＵＳＣＨリソースから、１つのＰＵＳＣＨリソースを、メッセージ１を送信する第１のＰＵＳＣＨリソースとして決定する上記ステップは、以下のステップＤ１〜Ｄ２を含む。
【００５６】
Ｄ１では、上記第１の基準信号が１つのＰＵＳＣＨリソースに関連付けられる場合、上記第１の基準信号に対応するＰＵＳＣＨリソースを第１のＰＵＳＣＨリソースとして決定し、
なお、第１の基準信号が１つのＰＵＳＣＨリソースのみに関連付けれられる場合、選択可能な余地がないため、このＰＵＳＣＨリソースを第１のＰＵＳＣＨリソースとすればよい。
【００５７】
Ｄ２では、上記第１の基準信号が少なくとも２つのＰＵＳＣＨリソースに関連付けられる場合、上記第１の基準信号に関連付けられた少なくとも２つのＰＵＳＣＨリソースから、１つのターゲットＰＵＳＣＨリソースを第１のＰＵＳＣＨリソースとして選択し、
なお、上記ターゲットＰＵＳＣＨリソースは、上記第１の基準信号に関連付けられた少なくとも２つのＰＵＳＣＨリソースのうちのランダムな１つであり、或いは、上記ターゲットＰＵＳＣＨリソースは、上記第１の基準信号に関連付けられた少なくとも２つのＰＵＳＣＨリソースのうちの第２の予め設定された条件を満たすＰＵＳＣＨリソースであり、即ち、第１の基準信号が複数のＰＵＳＣＨリソースに関連付けられる場合、端末は、複数のＰＵＳＣＨリソースから、１つを第１のＰＵＳＣＨリソースとしてランダムに選択してもよく、複数のＰＵＳＣＨリソースから、第２の予め設定された条件を満たすＰＵＳＣＨリソースを第１のＰＵＳＣＨリソースとして選択してもよい。
【００５８】
具体的には、該第２の予め設定された条件は、時間領域が第３の予め設定された閾値以下である条件を含み、なお、ここでの時間領域とは、ＰＵＳＣＨリソースに対応する時間領域であり、即ち、この場合に、端末は、最も早く利用可能なＰＵＳＣＨリソースを第１のＰＵＳＣＨリソースとして選択する。
【００５９】
なお、本開示の実施例は、ＮＲ及び後続の進化型通信システムに適用することができる。
【００６０】
本開示の実施例によれば、端末は、ネットワーク側に設定されたＳＳＢ（及び／又はＣＳＩ−ＲＳ）とＰＵＳＣＨリソースとの関連関係と、ＲＳＲＰなどのＳＳＢ（及び／又はＣＳＩ−ＲＳ）の選択方法とに基づいて、簡略化された２段階競合ベースのランダムアクセスのメッセージ１の転送に必要なＰＵＳＣＨリソースを選択することができ、４段階競合ベースのランダムアクセスに比べて、端末のアクセスの時間遅延を低減すると共に、ＰＵＳＣＨリソースにユーザプレーンデータを搬送させて、端末の状態遷移に必要なシグナリングオーバーヘッドを低減することができる。
【００６１】
具体的には、図４に示すように、図４は、本開示の実施例に係る、ネットワーク装置側に適用されるランダムアクセスのフローチャートであり、ネットワーク装置に適用される上記ランダムアクセス方法は、
ターゲットランダムアクセスの設定情報を端末に送信するステップ４０１と、
端末からフィードバックされたターゲットランダムアクセスのメッセージ１を受信するステップ４０２とを含み、
上記メッセージ１は、上記端末が上記設定情報に基づいて、メッセージ１を送信する第１の物理アップリンク共有チャネルＰＵＳＣＨリソースを決定して、第１のＰＵＳＣＨリソースで送信するものである。
【００６２】
具体的には、上記設定情報は、
端末がモニタリングする少なくとも１つの基準信号と、
基準信号とＰＵＳＣＨリソースとの関連関係と、
端末が上記少なくとも１つの基準信号から第１の基準信号を選択する時に基づいた性能指標と、
端末が上記少なくとも１つの基準信号から第１の基準信号を選択する時に基づいた、上記性能指標に対して予め設定された閾値との情報のうちの少なくとも１項を含む。
【００６３】
具体的には、上記関連関係は、
基準信号とＰＵＳＣＨリソースとが一対一の関係である情報と、
１つのＰＵＳＣＨリソースが少なくとも１つの基準信号に対応する情報と、
１つの基準信号が少なくとも１つのＰＵＳＣＨリソースに対応する情報とのうちの少なくとも１項を含む。
【００６４】
具体的には、上記少なくとも１つの基準信号は、少なくとも１つの同期信号ブロックＳＳＢ及び／又は少なくとも１つのチャネル状態情報基準信号ＣＳＩ−ＲＳを含む。
【００６５】
具体的には、上記性能指標は、基準信号受信電力ＲＳＲＰ、基準信号受信品質ＲＳＲＱ及び信号対雑音比ＳＩＮＲのうちの１つを含む。
【００６６】
具体的には、上記ＰＵＳＣＨリソースは、グラントフリーリソース及び／又は上記ターゲットランダムアクセスに対して予め設定されたリソースを含む。
【００６７】
さらに、上記ステップ４０１は、
システムブロードキャストメッセージを介して、ターゲットランダムアクセスの設定情報を端末に送信する方式と、
無線リソース制御ＲＲＣ解放メッセージを介して、ターゲットランダムアクセスの設定情報を端末に送信する方式とのうちの少なくとも１種を含む。
【００６８】
なお、上記実施例におけるネットワーク装置についての全ての説明は、いずれもネットワーク装置に適用されるランダムアクセス方法の実施例に適用され、それと同じ技術的効果を達成することができる。
【００６９】
図５に示すように、本開示の実施例に係る端末５００は、
ターゲットランダムアクセスの設定情報を取得する取得モジュール５０１と、
上記設定情報に基づいて、メッセージ１を送信する第１の物理アップリンク共有チャネルＰＵＳＣＨリソースを決定する決定モジュール５０２と、
第１のＰＵＳＣＨリソースで、ターゲットランダムアクセスのメッセージ１を送信する第１の送信モジュール５０３とを含む。
【００７０】
具体的には、上記設定情報は、
端末がモニタリングする少なくとも１つの基準信号と、
基準信号とＰＵＳＣＨリソースとの関連関係と、
端末が上記少なくとも１つの基準信号から第１の基準信号を選択する時に基づいた性能指標と、
端末が上記少なくとも１つの基準信号から第１の基準信号を選択する時に基づいた、上記性能指標に対して予め設定された閾値との情報のうちの少なくとも１項を含む。
【００７１】
具体的には、上記関連関係は、
基準信号とＰＵＳＣＨリソースとが一対一の関係である情報と、
１つのＰＵＳＣＨリソースが少なくとも１つの基準信号に対応する情報と、
１つの基準信号が少なくとも１つのＰＵＳＣＨリソースに対応する情報とのうちの少なくとも１項を含む。
【００７２】
具体的には、上記少なくとも１つの基準信号は、少なくとも１つの同期信号ブロックＳＳＢ及び／又は少なくとも１つのチャネル状態情報基準信号ＣＳＩ−ＲＳを含む。
【００７３】
具体的には、上記性能指標は、
基準信号受信電力ＲＳＲＰ、基準信号受信品質ＲＳＲＱ及び信号対雑音比ＳＩＮＲのうちの１つを含む。
【００７４】
具体的には、上記ＰＵＳＣＨリソースは、グラントフリーリソース及び／又は上記ターゲットランダムアクセスに対して予め設定されたリソースを含む。
【００７５】
さらに、上記取得モジュール５０１は、
ネットワーク装置がシステムブロードキャストメッセージを介して送信したターゲットランダムアクセスの設定情報を受信する方式と、
ネットワーク装置が無線リソース制御ＲＲＣ解放メッセージを介して送信したターゲットランダムアクセスの設定情報を受信する方式とのうちの少なくとも１種を実行する。
【００７６】
さらに、上記決定モジュール５０２は、
第１の基準信号を決定する第１の決定サブモジュールと、
上記第１の基準信号に関連付けられたＰＵＳＣＨリソースから、１つのＰＵＳＣＨリソースを、メッセージ１を送信する第１のＰＵＳＣＨリソースとして決定する第２の決定サブモジュールとを含む。
【００７７】
さらに、上記第１の決定サブモジュールは、
性能指標が予め設定された閾値以上の基準信号が少なくとも１つ存在する場合、性能指標が予め設定された閾値以上の上記少なくとも１つの基準信号から、１つの基準信号を第１の基準信号として決定する第１の決定ユニット、又は
性能指標が予め設定された閾値以上の基準信号が存在しない場合、ネットワーク装置が端末に対して設定した基準信号から、１つの基準信号を第１の基準信号として決定する第２の決定ユニットを含む。
【００７８】
具体的には、上記第１の決定ユニットは、
性能指標が予め設定された閾値以上の基準信号が少なくとも２つ存在する場合、性能指標が予め設定された閾値以上の上記少なくとも２つの基準信号から、１つを第１の基準信号として決定し、
上記第１の基準信号は、上記少なくとも２つの基準信号からランダムに選択された１つであり、或いは、上記第１の基準信号は、少なくとも２つの基準信号のうちの、第１の予め設定された条件を満たす１つである。
【００７９】
具体的には、上記第２の決定ユニットは、
ネットワーク装置が端末に対して設定した基準信号から、１つを第１の基準信号としてランダムに決定し、或いは
ネットワーク装置が端末に対して設定した基準信号から、第１の予め設定された条件を満たす１つを第１の基準信号として選択する。
【００８０】
さらに、上記第１の予め設定された条件は、
時間領域が第１の予め設定された閾値以下である条件と、
周波数領域が第２の予め設定された閾値以下である条件とのうちの少なくとも１つを含む。
【００８１】
具体的には、上記第２の決定サブモジュールは、
上記第１の基準信号が１つのＰＵＳＣＨリソースに関連付けられる場合、上記第１の基準信号に対応するＰＵＳＣＨリソースを第１のＰＵＳＣＨリソースとして決定し、或いは
上記第１の基準信号が少なくとも２つのＰＵＳＣＨリソースに関連付けられる場合、上記第１の基準信号に関連付けられた少なくとも２つのＰＵＳＣＨリソースから、１つのターゲットＰＵＳＣＨリソースを第１のＰＵＳＣＨリソースとして選択する。
【００８２】
さらに、上記ターゲットＰＵＳＣＨリソースは、上記第１の基準信号に関連付けられた少なくとも２つのＰＵＳＣＨリソースのうちのランダムな１つであり、或いは、上記ターゲットＰＵＳＣＨリソースは、上記第１の基準信号に関連付けられた少なくとも２つのＰＵＳＣＨリソースのうちの、第２の予め設定された条件を満たすＰＵＳＣＨリソースである。
【００８３】
さらに、上記第２の予め設定された条件は、時間領域が第３の予め設定された閾値以下である条件を含む。
【００８４】
なお、該端末の実施例は、端末側に適用される上記ランダムアクセス方法に対応する端末であり、上記実施例の全ての実現方式は、いずれも該端末の実施例に適用され、それと同じ技術的効果を達成することができる。
【００８５】
図６は、本開示の実施例を実現する端末のハードウェア概略構成図である。
【００８６】
該端末６０は、無線周波数ユニット６１０、ネットワークモジュール６２０、オーディオ出力ユニット６３０、入力ユニット６４０、センサ６５０、表示ユニット６６０、ユーザ入力ユニット６７０、インタフェースユニット６８０、メモリ６９０、プロセッサ６１１及び電源６１２などの部品を含むが、これらに限定されない。当業者であれば理解できるように、図６に示す端末の構造は、端末を限定するものではなく、端末は、図示より多いか又は少ない部品を含んでもよく、ある部品を組み合わせたり、異なる部品を配置したりしてもよい。本開示の実施例では、端末は、携帯電話、タブレットコンピュータ、ノートパソコン、パームトップコンピュータ、車載端末、ウェアラブルデバイス及び歩数計などを含むが、これらに限定されない。
【００８７】
プロセッサ６１１は、ターゲットランダムアクセスの設定情報を取得し、上記設定情報に基づいて、メッセージ１を送信する第１の物理アップリンク共有チャネルＰＵＳＣＨリソースを決定し、第１のＰＵＳＣＨリソースで、ターゲットランダムアクセスのメッセージ１を送信する。
【００８８】
本開示の実施例の端末は、簡略化された２段階競合ベースのランダムアクセスの設定情報に基づいて、簡略化された２段階競合ベースのランダムアクセスにおいてメッセージ１を送信する第１のＰＵＳＣＨリソースを決定して、メッセージ１の送信を実現することで、ネットワーク通信フローを完全にし、ネットワーク通信の信頼性を保証する。
【００８９】
本開示の実施例では、無線周波数ユニット６１０は、情報の送受信中又は通話中の信号の送受信に用いられてよく、具体的には、ネットワーク装置からのダウンリンクデータを受信した後、プロセッサ６１１に処理させ、また、アップリンクデータをネットワーク装置に送信することを理解されたい。一般的に、無線周波数ユニット６１０は、アンテナ、少なくとも１つの増幅器、送受信機、カプラ、低雑音増幅器、デュプレクサなどを含むが、これらに限定されない。また、無線周波数ユニット６１０は、さらに無線通信システムによりネットワーク及び他の装置と通信することができる。
【００９０】
端末は、ネットワークモジュール６２０によりユーザに無線のブロードバンドインターネットアクセスを提供して、例えば、ユーザの電子メールの送受信、ウェブの閲覧及びストリーミングメディアのアクセスなどを支援する。
【００９１】
オーディオ出力ユニット６３０は、無線周波数ユニット６１０又はネットワークモジュール６２０によって受信されるか、又はメモリ６９０に記憶されるオーディオデータをオーディオ信号に変換して音声として出力することができる。そして、オーディオ出力ユニット６３０は、端末６０によって実行される特定の機能に関連するオーディオ出力（例えば、呼出音、メッセージ着信音など）をさらに提供することができる。オーディオ出力ユニット６３０は、スピーカー、ブザー及びレシーバーなどを含む。
【００９２】
入力ユニット６４０は、オーディオ又はビデオ信号を受信する。入力ユニット６４０は、グラフィック処理ユニット（Ｇｒａｐｈｉｃｓ  Ｐｒｏｃｅｓｓｉｎｇ  Ｕｎｉｔ、ＧＰＵ）６４１及びマイクロフォン６４２を含んでよく、グラフィック処理ユニット６４１は、動画撮影モード又は画像撮影モードで撮影装置（例えば、カメラ）によって取得された静止画像又はビデオの画像データを処理する。処理後の画像フレームは、表示ユニット６６０に表示することができる。グラフィック処理ユニット６４１によって処理された画像フレームは、メモリ６９０（又は他の記憶媒体）に記憶し、或いは無線周波数ユニット６１０又はネットワークモジュール６２０を介して送信することができる。マイクロフォン６４２は、音声を受信し、かつこのような音声をオーディオデータに処理することができる。処理後のオーディオデータは、電話通話モードで、無線周波数ユニット６１０によって移動通信ネットワーク装置に送信可能なフォーマットに変換して出力することができる。
【００９３】
端末６０は、光センサ、動きセンサ及び他のセンサなどの少なくとも１種のセンサ６５０をさらに含む。具体的には、光センサは、環境光線の明るさに応じて表示パネル６６１の輝度を調節することができる環境光センサと、端末６０が耳元に移動するときに、表示パネル６６１及び／又はバックライトをオフにすることができる近接センサとを含む。動きセンサの１種として、加速センサは、各方向（一般に３軸）の加速度の大きさを検出でき、静止時に重力の大きさ及び方向を検出でき、端末姿勢（例えば、横向き／縦向きの切替、ゲーム関連、磁力計の姿勢較正）の識別、振動識別に関連する機能（例えば、歩数計、タッピング）などに用いられてよく、センサ６５０は、指紋センサ、圧力センサ、虹彩センサ、分子センサ、ジャイロスコープ、気圧計、湿度計、温度計、赤外線センサなどをさらに含んでよく、ここでは説明を省略する。
【００９４】
表示ユニット６６０は、ユーザによって入力された情報又はユーザに提供された情報を表示する。表示ユニット６６０は、表示パネル６６１を含んでもよく、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などの形態で表示パネル６６１を構成することができる。
【００９５】
ユーザ入力ユニット６７０は、入力された数字又は文字情報を受信すると共に、端末のユーザ設定及び機能制御に関連するキー信号入力を生成することができる。具体的には、ユーザ入力ユニット６７０は、タッチパネル６７１及び他の入力装置６７２を含む。タッチパネル６７１は、タッチスクリーンとも呼ばれ、タッチパネル又はその近くでのユーザのタッチ操作（例えば、指、スタイラスペンなどの任意の適切な物体又は付属品を用いるタッチパネル６７１で又はタッチパネル６７１の近くでのユーザの操作）を収集することができる。タッチパネル６７１は、タッチ検出装置及びタッチコントローラの２つの部品を含んでよい。タッチ検出装置は、ユーザのタッチ方向を検出し、タッチ操作による信号を検出し、信号をタッチコントローラに伝送し、タッチコントローラは、タッチ検出装置からタッチ情報を受信し、タッチポイント座標に変換して、プロセッサ６１１に送信し、プロセッサ６１１から送信されたコマンドを受信し、実行する。また、抵抗式、容量式、赤外線式及び表面弾性波式などの様々なタイプでタッチパネル６７１を実現することができる。タッチパネル６７１に加えて、ユーザ入力ユニット６７０は、他の入力装置６７２をさらに含んでよい。具体的には、他の入力装置６７２は、物理キーボード、機能キー（例えば、ボリューム調節キー、スイッチキーなど）、トラックボール、マウス及び操作レバーを含むが、これらに限定されず、ここでは説明を省略する。
【００９６】
さらに、タッチパネル６７１は、表示パネル６６１をカバーすることができ、タッチパネル６７１がタッチパネル又はその近くでのタッチ操作を検出した後、プロセッサ６１１に伝送してタッチイベントのタイプを決定し、その後に、プロセッサ６１１は、タッチイベントのタイプに応じて対応する視覚的出力を表示パネル６６１に提供する。図６において、タッチパネル６７１と表示パネル６６１は、２つの独立した部品として端末の入出力機能を実現するが、いくつかの実施例では、タッチパネル６７１と表示パネル６６１を一体化して端末の入出力機能を実現してもよく、ここでは具体的に限定しない。
【００９７】
インタフェースユニット６８０は、外部装置と端末６０を接続するインタフェースである。例えば、外部装置は、有線又は無線ヘッドフォンポート、外部電源（又は電池充電器）ポート、有線又は無線データポート、メモリカードポート、識別モジュールを備えた装置との接続用ポート、オーディオ入力／出力（Ｉ／Ｏ）ポート、ビデオＩ／Ｏポート、ヘッドフォンポートなどを含んでよい。インタフェースユニット６８０は、外部装置からの入力（例えば、データ情報、電力）を受信すると共に、受信した入力を端末６０内の１つ以上の素子に伝送するか又は端末６０と外部装置の間にデータ転送に用いる。
【００９８】
メモリ６９０は、ソフトウェアプログラム及び様々なデータを記憶することができる。メモリ６９０は、主に、オペレーティングシステム、少なくとも１つの機能（例えば、音声再生機能、画像再生機能）に必要なアプリケーションプログラムなどを記憶することができるプログラム記憶領域と、携帯電話の使用に応じて作成されたデータ（例えば、オーディオデータ、電話帳）などを記憶することができるデータ記憶領域とを含んでよい。また、メモリ６９０は、高速ランダムアクセスメモリを含んでもよく、少なくとも１つの磁気ディスクメモリ素子、フラッシュメモリ素子などの不揮発性メモリ又は他の揮発性固体メモリ素子を含んでもよい。
【００９９】
プロセッサ６１１は、端末の制御センターであり、様々なインタフェースと回線により端末全体の各部分に接続され、メモリ６９０に記憶されているソフトウェアプログラム及び／又はモジュールを動作させるか又は実行し、メモリ６９０に記憶されたデータを呼び出すことにより、端末の様々な機能とデータ処理を実行して、端末全体を監視する。プロセッサ６１１は、１つ以上の処理ユニットを含んでよく、好ましくは、プロセッサ６１１は、主にオペレーティングシステム、ユーザインタフェース及びアプリケーションプログラムなどを処理するアプリケーションプロセッサと、主に無線通信を処理するモデムプロセッサとを集積することができる。上記モデムプロセッサは、プロセッサ６１１に集積されなくてもよいことを理解されたい。
【０１００】
端末６０は、各部品に給電する電源６１２（例えば、電池）をさらに含んでよく、好ましくは、電源６１２は、電源管理システムによりプロセッサ６１１と論理的に接続されて、電源管理システムにより充電、放電の管理及び消費電力の管理などの機能を実現することができる。
【０１０１】
また、端末６０は、いくつかの未図示の機能モジュールを含み、ここでは説明を省略する。
【０１０２】
好ましくは、本開示の実施例に係る端末は、プロセッサ６１１と、メモリ６９０と、メモリ６９０に記憶されて上記プロセッサ６１１で実行でき、プロセッサ６１１によって実行されると、端末側に適用されるランダムアクセス方法の実施例の各プロセスを実現し、かつ同じ技術的効果を達成できるコンピュータプログラムとを含み、重複を避けるため、ここでは説明を省略する。
【０１０３】
本開示の実施例に係るコンピュータ読み取り可能な記憶媒体は、プロセッサによって実行されると、端末側に適用されるランダムアクセス方法の実施例の各プロセスを実現し、かつ同じ技術的効果を達成できるコンピュータプログラムが記憶されており、重複を避けるため、ここでは説明を省略する。上記コンピュータ読み取り可能な記憶媒体は、読み取り専用メモリ（Ｒｅａｄ−Ｏｎｌｙ  Ｍｅｍｏｒｙ、ＲＯＭと略称する）、ランダムアクセスメモリ（Ｒａｎｄｏｍ  Ａｃｃｅｓｓ  Ｍｅｍｏｒｙ、ＲＡＭと略称する）、磁気ディスク又は光ディスクなどであってよい。
【０１０４】
図７に示すように、本開示の実施例に係るネットワーク装置７００は、
ターゲットランダムアクセスの設定情報を端末に送信する第２の送信モジュール７０１と、
端末からフィードバックされたターゲットランダムアクセスのメッセージ１を受信する受信モジュール７０２とを含み、
上記メッセージ１は、上記端末が上記設定情報に基づいて、メッセージ１を送信する第１の物理アップリンク共有チャネルＰＵＳＣＨリソースを決定して、第１のＰＵＳＣＨリソースで送信するものである。
【０１０５】
具体的には、上記設定情報は、
端末がモニタリングする少なくとも１つの基準信号と、
基準信号とＰＵＳＣＨリソースとの関連関係と、
端末が上記少なくとも１つの基準信号から第１の基準信号を選択する時に基づいた性能指標と、
端末が上記少なくとも１つの基準信号から第１の基準信号を選択する時に基づいた、上記性能指標に対して予め設定された閾値との情報のうちの少なくとも１項を含む。
【０１０６】
具体的には、上記関連関係は、
基準信号とＰＵＳＣＨリソースとが一対一の関係である情報と、
１つのＰＵＳＣＨリソースが少なくとも１つの基準信号に対応する情報と、
１つの基準信号が少なくとも１つのＰＵＳＣＨリソースに対応する情報とのうちの少なくとも１項を含む。
【０１０７】
具体的には、上記少なくとも１つの基準信号は、少なくとも１つの同期信号ブロックＳＳＢ及び／又は少なくとも１つのチャネル状態情報基準信号ＣＳＩ−ＲＳを含む。
【０１０８】
具体的には、上記性能指標は、
基準信号受信電力ＲＳＲＰ、基準信号受信品質ＲＳＲＱ及び信号対雑音比ＳＩＮＲのうちの１つを含む。
【０１０９】
具体的には、上記ＰＵＳＣＨリソースは、グラントフリーリソース及び／又は上記ターゲットランダムアクセスに対して予め設定されたリソースを含む。
【０１１０】
さらに、上記第２の送信モジュール７０１は、
システムブロードキャストメッセージを介して、ターゲットランダムアクセスの設定情報を端末に送信する方式と、
無線リソース制御ＲＲＣ解放メッセージを介して、ターゲットランダムアクセスの設定情報を端末に送信する方式とのうちの少なくとも１種を実行する。
【０１１１】
なお、該ネットワーク装置の実施例は、ネットワーク装置側に適用される上記ランダムアクセス方法に対応するネットワーク装置であるため、上記実施例の全ての実現方式は、いずれも該ネットワーク装置の実施例に適用され、それと同じ技術的効果を達成することができる。
【０１１２】
本開示の実施例に係るネットワーク装置は、プロセッサと、メモリと、メモリに記憶されてプロセッサ上で実行でき、上記プロセッサによって実行されると、ネットワーク装置側に適用される上記ランダムアクセス方法の実施例の各プロセスを実現し、かつ同じ技術的効果を達成できるコンピュータプログラムとを含み、重複を避けるため、ここでは説明を省略する。
【０１１３】
本開示の実施例に係るコンピュータ読み取り可能な記憶媒体は、プロセッサによって実行されると、ネットワーク装置側に適用される上記ランダムアクセス方法の実施例の各プロセスを実現し、かつ同じ技術的効果を達成できるコンピュータプログラムが記憶されており、重複を避けるために、ここでは説明を省略する。上記コンピュータ読み取り可能な記憶媒体は、読み取り専用メモリ（Ｒｅａｄ−Ｏｎｌｙ  Ｍｅｍｏｒｙ、ＲＯＭと略称する）、ランダムアクセスメモリ（Ｒａｎｄｏｍ  Ａｃｃｅｓｓ  Ｍｅｍｏｒｙ、ＲＡＭと略称する）、磁気ディスク又は光ディスクなどであってよい。
【０１１４】
図８は、本開示の実施例に係るネットワーク装置の構成図であり、該ネットワーク装置は、ネットワーク装置側に適用される上記ランダムアクセス方法の詳細を実現し、かつ同じ効果を達成することができる。図８に示すように、ネットワーク装置８００は、プロセッサ８０１、送受信機８０２、メモリ８０３及びバスインタフェースを含み、
プロセッサ８０１は、メモリ８０３内のプログラムを読み出して、
送受信機８０２によりターゲットランダムアクセスの設定情報を端末に送信するプロセスと、
端末からフィードバックされたターゲットランダムアクセスのメッセージ１を受信するプロセスとを実行し、
上記メッセージ１は、上記端末が上記設定情報に基づいて、メッセージ１を送信する第１の物理アップリンク共有チャネルＰＵＳＣＨリソースを決定して、第１のＰＵＳＣＨリソースで送信するものである。
【０１１５】
図８において、バスアーキテクチャは、任意の数の相互接続されたバス及びブリッジを含んでよく、具体的には、プロセッサ８０１を代表する１つ以上のプロセッサ及びメモリ８０３を代表するメモリの様々な回路によって一体に接続されている。バスアーキテクチャは、さらに、周辺装置、スタビライザ及びパワー管理回路などの様々なその他の回路を一体に接続してよく、これらは、いずれも本分野において既知のものであるため、本明細書においてさらに説明しない。バスインタフェースは、インタフェースを提供する。送受信機８０２は、複数の部品であってよく、即ち、送信機及び受信機を含み、伝送媒体で様々な他の装置と通信するためのユニットを提供する。
【０１１６】
プロセッサ８０１は、バスアーキテクチャ及び一般的な処理の管理を担当し、メモリ８０３は、プロセッサ８０１が操作実行時に用いるデータを記憶することができる。
【０１１７】
具体的には、上記設定情報は、
端末がモニタリングする少なくとも１つの基準信号と、
基準信号とＰＵＳＣＨリソースとの関連関係と、
端末が上記少なくとも１つの基準信号から第１の基準信号を選択する時に基づいた性能指標と、
端末が上記少なくとも１つの基準信号から第１の基準信号を選択する時に基づいた、上記性能指標に対して予め設定された閾値との情報のうちの少なくとも１項を含む。
【０１１８】
具体的には、上記関連関係は、
基準信号とＰＵＳＣＨリソースとが一対一の関係である情報と、
１つのＰＵＳＣＨリソースが少なくとも１つの基準信号に対応する情報と、
１つの基準信号が少なくとも１つのＰＵＳＣＨリソースに対応する情報とのうちの少なくとも１項を含む。
【０１１９】
具体的には、上記少なくとも１つの基準信号は、少なくとも１つの同期信号ブロックＳＳＢ及び／又は少なくとも１つのチャネル状態情報基準信号ＣＳＩ−ＲＳを含む。
【０１２０】
具体的には、上記性能指標は、
基準信号受信電力ＲＳＲＰ、基準信号受信品質ＲＳＲＱ及び信号対雑音比ＳＩＮＲのうちの１つを含む。
【０１２１】
具体的には、上記ＰＵＳＣＨリソースは、グラントフリーリソース及び／又は上記ターゲットランダムアクセスに対して予め設定されたリソースを含む。
【０１２２】
好ましくは、プロセッサ８０１は、メモリ８０３内のプログラムを読み出して、
システムブロードキャストメッセージを介して、ターゲットランダムアクセスの設定情報を端末に送信するプロセスと、
無線リソース制御ＲＲＣ解放メッセージを介して、ターゲットランダムアクセスの設定情報を端末に送信するプロセスとのうちの少なくとも１つを実行する。
【０１２３】
ネットワーク装置は、グローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭと略称する）又は符号分割多元接続（Ｃｏｄｅ  Ｄｉｖｉｓｉｏｎ  Ｍｕｌｔｉｐｌｅ  Ａｃｃｅｓｓ、ＣＤＭＡと略称する）における基地局（Ｂａｓｅ  Ｔｒａｎｓｃｅｉｖｅｒ  Ｓｔａｔｉｏｎ、ＢＴＳと略称する）であってもよく、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ(登録商標)と略称する）における基地局（ＮｏｄｅＢ、ＮＢと略称する）であってもよく、さらに、ＬＴＥにおける進化型基地局（Ｅｖｏｌｕｔｉｏｎａｌ  Ｎｏｄｅ  Ｂ、ｅＮＢ又はｅＮｏｄｅＢと略称する）、中継局、アクセスポイント、又は将来の５Ｇネットワークにおける基地局などであってもよく、ここで限定されない。
【０１２４】
当業者であれば理解できるように、本明細書で開示される実施例を参照しながら説明された各例のユニット及びアルゴリズムステップは、電子ハードウェア、又はコンピュータソフトウェアと電子ハードウェアの組み合わせにより実現することができる。これらの機能がハードウェアの方式で実行されるか又はソフトウェアの方式で実行されるかは、技術手段の特定の適用及び設計上の制約条件に依存する。当業者であれば、各特定の適用に対して異なる方法で説明された機能を実現できるが、このような実現は本開示の範囲を超えると考えられるべきではない。電子ハードウェアは、電子回路、専用の集積回路、プログラマブルな論理デバイス、プログラマブルなプロセッサなどを含むが、これらに限定されない。
【０１２５】
以上の説明は、本開示の好ましい実施形態であり、なお、当業者であれば、本開示の上記原理から逸脱しない前提で、いくつかの改良と修飾を行うこともでき、これらの改良と修飾も本開示の保護範囲に含まれる。
【符号の説明】
【０１２６】
５００  端末
５０１  取得モジュール
５０２  決定モジュール
５０３  第１の送信モジュール
６１０  無線周波数ユニット
６１１  プロセッサ
６１２  電源
６２０  ネットワークモジュール
６３０  オーディオ出力ユニット
６４０  入力ユニット
６４１  グラフィック処理ユニット（ＧＰＵ）
６４２  マイクロフォン
６５０  センサ
６６０  表示ユニット
６６１  表示パネル
６７０  ユーザ入力ユニット
６７１  タッチパネル
６７２  入力装置
６８０  インタフェースユニット
６９０  メモリ
７００  ネットワーク装置
７０１  第２の送信モジュール
７０２  受信モジュール
８００  ネットワーク装置
８０１  プロセッサ
８０２  送受信機
８０３  メモリ
【図１】
2021532668.tif 000003
【図２】
2021532668.tif 000004
【図３】
2021532668.tif 000005
【図４】
2021532668.tif 000006
【図５】
2021532668.tif 000007
【図６】
2021532668.tif 000008
【図７】
2021532668.tif 000009
【図８】
2021532668.tif 000010
【手続補正書】
【提出日】令和3年1月27日(2021.1.27)
【手続補正１】
【補正対象書類名】特許請求の範囲
【補正対象項目名】全文
【補正方法】変更
【補正の内容】
【特許請求の範囲】
【請求項１】
端末に適用されるランダムアクセス方法であって、
ターゲットランダムアクセスの設定情報を取得することと、
前記設定情報に基づいて、メッセージ１を送信する第１の物理アップリンク共有チャネルＰＵＳＣＨリソースを決定することと、
第１のＰＵＳＣＨリソースで、ターゲットランダムアクセスのメッセージ１を送信することとを含む、ランダムアクセス方法。
【請求項２】
前記設定情報は、
端末がモニタリングする少なくとも１つの基準信号と、
基準信号とＰＵＳＣＨリソースとの関連関係と、
端末が前記少なくとも１つの基準信号から第１の基準信号を選択する時に基づいた性能指標と、
端末が前記少なくとも１つの基準信号から第１の基準信号を選択する時に基づいた、前記性能指標に対して予め設定された閾値との情報のうちの少なくとも１項を含む、請求項１に記載のランダムアクセス方法。
【請求項３】
前記関連関係は、
基準信号とＰＵＳＣＨリソースとが一対一の関係である情報と、
１つのＰＵＳＣＨリソースが少なくとも１つの基準信号に対応する情報と、
１つの基準信号が少なくとも１つのＰＵＳＣＨリソースに対応する情報とのうちの少なくとも１項を含む、請求項２に記載のランダムアクセス方法。
【請求項４】
前記少なくとも１つの基準信号は、少なくとも１つの同期信号ブロックＳＳＢ及び／又は少なくとも１つのチャネル状態情報基準信号ＣＳＩ−ＲＳを含み、または、
前記ＰＵＳＣＨリソースは、グラントフリーリソース及び／又は前記ターゲットランダムアクセスに対して予め設定されたリソースを含む、請求項２に記載のランダムアクセス方法。
【請求項５】
前記の前記設定情報に基づいて、メッセージ１を送信する第１の物理アップリンク共有チャネルＰＵＳＣＨリソースを決定することは、
第１の基準信号を決定することと、
前記第１の基準信号に関連付けられたＰＵＳＣＨリソースから、１つのＰＵＳＣＨリソースを、メッセージ１を送信する第１のＰＵＳＣＨリソースとして決定することとを含む、請求項２に記載のランダムアクセス方法。
【請求項６】
前記の第１の基準信号を決定することは、
性能指標が予め設定された閾値以上の基準信号が少なくとも１つ存在する場合、性能指標が予め設定された閾値以上の前記少なくとも１つの基準信号から、１つの基準信号を第１の基準信号として決定し、或いは
性能指標が予め設定された閾値以上の基準信号が存在しない場合、ネットワーク装置が端末に対して設定した基準信号から、１つの基準信号を第１の基準信号として決定することを含む、請求項５に記載のランダムアクセス方法。
【請求項７】
前記の性能指標が予め設定された閾値以上の前記少なくとも１つの基準信号から、１つの基準信号を第１の基準信号として決定することは、
性能指標が予め設定された閾値以上の基準信号が少なくとも２つ存在する場合、性能指標が予め設定された閾値以上の前記少なくとも２つの基準信号から、１つを第１の基準信号として決定することを含み、
前記第１の基準信号は、前記少なくとも２つの基準信号からランダムに選択されたものであり、或いは前記第１の基準信号は、少なくとも２つの基準信号のうちの、第１の予め設定された条件を満たすものであり、または、
前記のネットワーク装置が端末に対して設定した基準信号から、１つの基準信号を第１の基準信号として決定することは、
ネットワーク装置が端末に対して設定した基準信号から、１つを第１の基準信号としてランダムに決定し、或いは
ネットワーク装置が端末に対して設定した基準信号から、第１の予め設定された条件を満たす１つを第１の基準信号として選択することを含む、請求項６に記載のランダムアクセス方法。
【請求項８】
前記第１の予め設定された条件は、
時間領域が第１の予め設定された閾値以下である条件と、
周波数領域が第２の予め設定された閾値以下である条件とのうちの少なくとも１つを含む、請求項７に記載のランダムアクセス方法。
【請求項９】
前記の前記第１の基準信号に関連付けられたＰＵＳＣＨリソースから、１つのＰＵＳＣＨリソースを、メッセージ１を送信する第１のＰＵＳＣＨリソースとして決定することは、
前記第１の基準信号が１つのＰＵＳＣＨリソースに関連付けられる場合、前記第１の基準信号に対応するＰＵＳＣＨリソースを第１のＰＵＳＣＨリソースとして決定し、或いは
前記第１の基準信号が少なくとも２つのＰＵＳＣＨリソースに関連付けられる場合、前記第１の基準信号に関連付けられた少なくとも２つのＰＵＳＣＨリソースから、１つのターゲットＰＵＳＣＨリソースを第１のＰＵＳＣＨリソースとして選択することを含む、請求項５に記載のランダムアクセス方法。
【請求項１０】
前記ターゲットＰＵＳＣＨリソースは、前記第１の基準信号に関連付けられた少なくとも２つのＰＵＳＣＨリソースのうちのランダムな１つであり、或いは前記ターゲットＰＵＳＣＨリソースは、前記第１の基準信号に関連付けられた少なくとも２つのＰＵＳＣＨリソースのうちの、第２の予め設定された条件を満たすＰＵＳＣＨリソースである、請求項９に記載のランダムアクセス方法。
【請求項１１】
前記第２の予め設定された条件は、時間領域が第３の予め設定された閾値以下である条件を含む、請求項１０に記載のランダムアクセス方法。
【請求項１２】
前記性能指標は、
基準信号受信電力ＲＳＲＰ、基準信号受信品質ＲＳＲＱ及び信号対雑音比ＳＩＮＲのうちの１つを含む、請求項２に記載のランダムアクセス方法。
【請求項１３】
ネットワーク装置に適用されるランダムアクセス方法であって、
ターゲットランダムアクセスの設定情報を端末に送信することと、
端末からフィードバックされたターゲットランダムアクセスのメッセージ１を受信することとを含み、
前記メッセージ１は、前記端末が前記設定情報に基づいて、メッセージ１を送信する第１の物理アップリンク共有チャネルＰＵＳＣＨリソースを決定して、第１のＰＵＳＣＨリソースで送信するものである方法。
【請求項１４】
ターゲットランダムアクセスの設定情報を取得する取得モジュールと、
前記設定情報に基づいて、メッセージ１を送信する第１の物理アップリンク共有チャネルＰＵＳＣＨリソースを決定する決定モジュールと、
第１のＰＵＳＣＨリソースで、ターゲットランダムアクセスのメッセージ１を送信する第１の送信モジュールとを含む、端末。
【請求項１５】
ターゲットランダムアクセスの設定情報を端末に送信する第２の送信モジュールと、
端末からフィードバックされたターゲットランダムアクセスのメッセージ１を受信する受信モジュールとを含み、
前記メッセージ１は、前記端末が前記設定情報に基づいて、メッセージ１を送信する第１の物理アップリンク共有チャネルＰＵＳＣＨリソースを決定して、第１のＰＵＳＣＨリソースで送信するものである、ネットワーク装置。
【国際調査報告】
2021532668.tif 000011
2021532668.tif 000012
2021532668.tif 000013
2021532668.tif 000014